(57)【要約】  【課題】  本発明は、排水枡内の雑菌繁殖を抑制し、容易に設置可能な浴室ユニットを提供することを目的とする。  【解決手段】  防水パンと、この防水パンの一部に設けられた排水枡とを備え、上記排水枡が、底面と、この底面の周囲に立設された周壁とを有し、上記底面及び周壁が、銅又は銅合金の板により覆われた浴室ユニット。  【選択図】  図４
2008057227.tif 000002
【特許請求の範囲】
【請求項１】
防水パンと、この防水パンの一部に設けられた排水枡とを備え、上記排水枡が、底面と、この底面の周囲に立設された周壁とを有し、上記底面及び周壁が、銅又は銅合金の板により覆われた浴室ユニット。
【請求項２】
請求項１において、銅又は銅合金の板が、底面及び周壁を有する成形体であり、この成形体寸法が、排水枡の内寸と同等か、それよりも小さい浴室ユニット。
【請求項３】
請求項１又は２において、排水枡が、その上部に目皿を備えた浴室ユニット。
【請求項４】
請求項３において、目皿が、その裏面に銅又は銅合金の板を保持する浴室ユニット。
【請求項５】
請求項１乃至４の何れかにおいて、防水パンの排水枡と、この排水枡を覆う銅又は銅合金の板とが、一体成形された浴室ユニット。
【発明の詳細な説明】
【技術分野】
【０００１】
本発明は、浴室ユニットに関し、特に排水枡内に銅又は銅合金の板を配置したものに関する。
【背景技術】
【０００２】
浴室ユニットは、施工性を上げ、短時間に組み立てできる浴室であり、主に防水パン、浴槽、壁パネル、天井パネル等を備え、これらの部材をフレームにより一体化することで組み立てられる。
防水パンは、浴槽載置を行う防水パンと、洗い場を形成する防水パンとに分かれていることもあり、防水パンと浴槽とを一体成形したものも使用される。
浴室にて発生した排水は、防水パンに設けられた排水枡に集水され、排水枡の底部に開口させた排水口より系外へと排水するようにしている。
【０００３】
排水経路は、雑菌が繁殖しやすく、ぬめり、臭い等により使用者が認識し、清掃により除去される。また、この雑菌の繁殖を抑制することを考え、排水口に銅を用いたトラップを使用することがある。
【０００４】
特許文献１に記載されるものは、排水トラップに電極を配置してぬめりを防止するものであり、排水口の口部に陰陽一対の電極を配設している。
【特許文献１】特開２００５−９７８３１
【発明の開示】
【発明が解決しようとする課題】
【０００５】
しかしながら、前述した２つの方法は、排水口よりも下流側のぬめり、臭いを抑制するものの、それよりも上流での抑制はない。
そのため、排水枡内では、その底面及び周壁にぬめりが発生しやすく、悪臭の原因となってしまう。
また、引用文献１に記載されるものは、電極を用いるため、設置が困難であり部品点数が大幅に増えることとなる。
【０００６】
本発明は、排水枡内の雑菌繁殖を抑制し、容易に設置可能な浴室ユニットを提供することを目的とする。
【課題を解決するための手段】
【０００７】
本発明は、以下のものに関する。
（１）防水パンと、この防水パンの一部に設けられた排水枡とを備え、上記排水枡が、底面と、この底面の周囲に立設された周壁とを有し、上記底面及び周壁が、銅又は銅合金の板により覆われた浴室ユニット。
（２）項（１）において、銅又は銅合金の板が、底面及び周壁を有する成形体であり、この成形体寸法が、排水枡の内寸と同等か、それよりも小さい浴室ユニット。
（３）項（１）又は（２）において、排水枡が、その上部に目皿を備えた浴室ユニット。
（４）項（３）において、目皿が、その裏面に銅又は銅合金の板を保持する浴室ユニット。
（５）項（１）乃至（４）の何れかにおいて、防水パンの排水枡と、この排水枡を覆う銅又は銅合金の板とが、一体成形された浴室ユニット。
【発明の効果】
【０００８】
本発明によれば、銅イオンの滅菌作用により汚染物質の堆積を減少できる。
【発明を実施するための最良の形態】
【０００９】
本発明にて述べる防水パンは、浴室ユニットの床を形成するものであり、１枚の板体で形成したものであっても、複数に分割したものを結合して使用するものであっても良い。
複数に分割する場合は、浴槽配置用防水パンと、洗い場用防水パンとに分割することが好ましく、この両者がパッキンを介して接続される。
また、防水パンは、浴槽一体型のものを使用することができる。
防水パンの材質は、特に限定されるものではないが、合成樹脂製のものが好ましく、特にガラス繊維を含有したＳＭＣ（シートモールディングコンパウンド）製のものを好適に用いることができる。
【００１０】
本発明に用いる防水パンは、その一部に排水枡を有している。
排水枡は、底面及びこの底面の周囲に立設された周壁を有しており、その水平断面形状が、円形又は角形のものを好適に使用することができる。排水枡の底面は、排水を流出させる排水口が設けられており、その下流側には、排水トラップ、封水壁等を設けることもできる。
排水枡の上面は、解放させたままでも良いが、目皿を載置することもできる。
【００１１】
本発明にて述べる銅又は銅合金の板は、雑菌の繁殖を抑制するものであり、銅合金としては、黄銅、りん青銅、白銅、洋白、高銅合金などがある。
【００１２】
本発明にて述べる銅又は銅合金の板は、複数の板体を排水枡の底面及び周壁が覆われるように配置することもできるが、排水枡の内寸と同じか、又はこれよりも僅かに小さい相似形の成形体を用いることが好ましい。このような成形体を用いた場合は、配置が容易に行え、また、防水パンをＳＭＣ製とすれば、一体成形することもできる。
銅又は銅合金の板は、排水枡ばかりでなく、目皿の裏面に配置することもできる。
【実施例】
【００１３】
以下、本発明の実施例を図面を用いて説明する。
図１は、本発明の１実施例である浴室ユニットの洗い場防水パン斜視図である。洗い場防水パン１は、洗い場２、排水枡３を備えており、その素材を繊維強化プラスチックとしている。そして、排水枡３には、銅製の排水枡成形体４を配置してある。
【００１４】
図２は、図１に示す洗い場防水パンを製造する際に使用する金型の断面図である。
金型は、上型５及び下型６を備え、上型５及び下型６との間に成形材料及び排水枡成形体を挟持させ、加熱加圧して図１に示す洗い場防水パンを成形する。
【００１５】
図３は、図２に示す下型の部分拡大断面図であり、（ａ）が排水枡成形体を載置した状態を示し、（ｂ）が排水枡成形体の上に成形材料を載置した状態を示す。
洗い場防水パンの製造は、先ず下型６に、排水枡成形体４を配置し、その後、成形材料（ＳＭＣ）７を載置した後に加熱加圧する。
本実施例で使用する排水枡成形体４は、厚さ０．３ｍｍの銅板を展開形状としてトムソン型により打ち抜き、この打ち抜いた板体を、最高出力５００トンのプレス機にてプレスすることで成形してある。
また、排水枡成形体４は、この時点では開口寸法が僅かに下型６の配置部分よりも小さくなっており、下型６の抜き勾配に沿って上方に位置する。
【００１６】
図４は、図３に示す金型を開いた際の部分拡大断面図である。
加熱加圧した後は、排水枡成形体４が、図示を省略する上型により下型６に押しつけられた後なので、下方に移動し、抜き勾配に沿って開口の周方向に延伸され、下型６に密着する。
成形材料７は、洗い場防水パンとして成形され、成形材料７が排水枡成形体４と下型６との間に入り込むこともなく、見切り線がくっきりとして成形できる。
尚、本実施例にて成形した洗い場防水パンは、下型の成形温度を摂氏１４５度とし、上型の温度を摂氏１４０度として、１平方センチメートル当たり１００ｋｇの圧力により６分間、加熱加圧している。得られた洗い場防水パンの肉厚は、５ｍｍであり、脱型後に孔加工、バリ取りを行う。
【００１７】
図５は、本発明の１実施例である目皿の断面図である。
目皿８は、図１に示す排水枡３の上部を閉塞するものであり、排水は、目皿８の周囲と排水枡の周囲との隙間より流出する。
目皿８の裏面には、銅板９が接着されており、これにより目皿裏面にぬるつきが発生することがない。
【図面の簡単な説明】
【００１８】
【図１】本発明の１実施例である浴室ユニットの洗い場防水パン斜視図である。
【図２】図１に示す洗い場防水パンを製造する際に使用する金型の断面図である。
【図３】図２に示す下型の部分拡大断面図であり、（ａ）が排水枡成形体を載置した状態を示し、（ｂ）が排水枡成形体の上に成形材料を載置した状態を示す。
【図４】図３に示す金型を開いた際の部分拡大断面図である。
【図５】本発明の１実施例である目皿の断面図である。
【符号の説明】
【００１９】
１…洗い場防水パン、２…洗い場、３…排水枡、４…排水枡成形体、５…上型、６…下型、７…成形材料、８…目皿、９…銅板
【図１】
2008057227.tif 000003
【図２】
2008057227.tif 000004
【図３】
2008057227.tif 000005
【図４】
2008057227.tif 000006
【図５】
2008057227.tif 000007